(57)【要約】初期投資、システム操作に必要な電力コストなどを削減することができる固体廃棄物運搬システムを提供すること。少なくとも１つの保持領域が廃棄物輸送路に接続され、少なくとも１つの保持領域から少なくとも１つの収集ステーション又は少なくとも１つの収集路へ固体廃棄物を空気圧式運搬するシステムであって、前記廃棄物輸送路の内部に設置され、各保持領域から排出された前記固体廃棄物を前記少なくとも１つの収集ステーション又は前記少なくとも１つの収集路へ移動させる少なくとも１つの移動手段を備える。
2012512794.tif 000002
【特許請求の範囲】
【請求項１】
固体廃棄物（２０）を各保持領域（１０）から廃棄物輸送路（１４）へ排出するステップを含み、少なくとも１つの保持領域（１０）から少なくとも１つの収集路（２６）又は少なくとも１つの収集ステーション（２８）へ固体廃棄物を運搬する方法であって、
ｉ）移動手段（２２）を使用することにより、前記固体廃棄物（２０）を前記少なくとも１つの収集ステーション（２８）又は前記少なくとも１つの収集路（２６）へ向かって押し進めるために前記移動手段（２２）の両側に差圧を作り出すことによって、前記廃棄物輸送路（１４）の中の前記固体廃棄物（２０）を前記少なくとも１つの収集路（２６）又は前記少なくとも１つの収集ステーション（２８）へ押し進めるステップと、
ｉｉ）前記少なくとも１つの収集ステーション（２８）又は前記少なくとも１つの収集路（２６）から前記移動手段の原点位置への前記移動手段（２２）の移動を生じさせる差圧を前記移動手段（２２）の両端に発生させることによって、前記移動手段の原点位置に戻されるように前記移動手段（２２）を制御するステップと、
をさらに含むことを特徴とする固体廃棄物を運搬する方法。
【請求項２】
前記移動手段の両端の前記差圧は、前記移動手段の移動を生じさせるために制御システム（５０）によって制御され監視され、前記移動手段（２２）の移動に障害があるかどうかをさらに示す、請求項１に記載の固体廃棄物を運搬する方法。
【請求項３】
前記移動手段が前記廃棄物輸送路（１４）の中に前記固体廃棄物（２０）を押す前に、潤滑剤として作用するように液体が前記固体廃棄物（２０）とこの固体廃棄物の周囲とに噴霧される、請求項１に記載の固体廃棄物を運搬する方法。
【請求項４】
前記少なくとも１つの収集路（２６）からの前記固体廃棄物（２０）は、車両搭載型容器（３６）から前記少なくとも１つの収集路（２６）に接続されているドッキングステーション（４８）まで車両搭載型輸送路（３８）を導入することによって収集される、請求項１に記載の固体廃棄物を運搬する方法。
【請求項５】
前記少なくとも１つの収集路（２６）からの前記固体廃棄物（２０）は、前記車両搭載型輸送路（３８）を介して前記固体廃棄物（２０）を前記少なくとも１つの収集路（２６）から前記車両搭載型容器（２６）へ押すため前記移動手段（２２）を移動させるように前記移動手段（２２）の両端に差圧を発生させることにより前記移動手段によって移動させられる、請求項４に記載の固体廃棄物を運搬する方法。
【請求項６】
前記固体廃棄物（２０）が前記車両搭載型容器（３６）の中へ移動させられ、そして、前記移動手段（２２）が前記収集路（２６）の中へ戻されると、前記車両搭載型輸送路（３８）は切り離される、請求項５に記載の固体廃棄物を運搬する方法。
【請求項７】
前記固体廃棄物（２０）が各保持領域（１０）の中に収集される前に出される点で接続されている洗浄水クローゼット（４０）に前記固体廃棄物（２０）を流すステップを含む、請求項１に記載の固体廃棄物を運搬する方法。
【請求項８】
少なくとも１つの保持領域（１０）が廃棄物輸送路（１４）に接続され、少なくとも１つの保持領域（１０）から少なくとも１つの収集ステーション（２８）又は少なくとも１つの収集路（２６）へ固体廃棄物を運搬するシステムであって、
前記廃棄物輸送路（１４）の内部に設置され、各保持領域（１０）から排出された前記固体廃棄物（２０）を前記少なくとも１つの収集ステーション（２８）又は前記少なくとも１つの収集路（２６）へ移動させる少なくとも１つの移動手段（２２）を備え、前記少なくとも１つの保持領域（１０）は、前記廃棄物輸送路（１４）への前記固体廃棄物の排出を調節する少なくとも１つの手段（１２）を含むことを特徴とする、固体廃棄物を運搬するシステム。
【請求項９】
前記廃棄物輸送路は、前記固体廃棄物（２０）を前記少なくとも１つの収集ステーション（２８）又は前記少なくとも１つの収集路（２６）へ押すか、又は、前記少なくとも１つの移動手段（２２）をこの移動手段の開始位置へ移動させるために、前記少なくとも１つの移動手段（２２）を移動させるように少なくとも１つの空気バルブ（３０）によって制御される少なくとも１つの空気路（３２）によって少なくとも１つの接続路（６８）を介して空気の流れが供給される、請求項８に記載の固体廃棄物を運搬するシステム。
【請求項１０】
前記廃棄物輸送路（１４）は、前記少なくとも１つの空気路（３２）によって供給された空気の流れより低い圧力にあり、そして、前記固体廃棄物（２０）を前記少なくとも１つの収集ステーション（２８）又は前記少なくとも１つの収集路（２６）へ押すか、又は、前記少なくとも１つの移動手段（２２）をこの移動手段の開始位置へ移動させるために、前記少なくとも１つの移動手段（２２）を移動させるように少なくとも１つの空気バルブ（３０）によって制御される、少なくとも１つの空気路（３４）によって少なくとも１つの接続路（６８）を介して空気が除去される、請求項８に記載の固体廃棄物を運搬するシステム。
【請求項１１】
前記廃棄物輸送路（１４）は、閉じられたときに両端に差圧が許される少なくとも１つのゾーンバルブ（２４）を含む、請求項８に記載の固体廃棄物を運搬するシステム。
【請求項１２】
前記少なくとも１つのゾーンバルブ（２４）は、前記廃棄物輸送路（１４）の中に少なくとも１つの運搬ゾーン（１６）を設ける、請求項８に記載の固体廃棄物を運搬するシステム。
【請求項１３】
前記少なくとも１つの収集ステーション（２８）又は前記少なくとも１つの収集路（２６）へ移動させられる前に、前記少なくとも１つの保持領域（１０）から前記廃棄物輸送路（１４）へ排出された固体廃棄物（２０）は、少なくとも１つの１次運搬ゾーン（４２）へ移動させられる、請求項８に記載の固体廃棄物を運搬するシステム。
【請求項１４】
前記１次運搬ゾーン（４２）は、前記固体廃棄物（２０）を前記少なくとも１つの収集ステーション（２８）又は前記少なくとも１つの収集路（２６）へ移動させるために少なくとも１つの移動手段（２２）を含む、請求項１３に記載の固体廃棄物を運搬するシステム。
【請求項１５】
前記少なくとも１つの収集路（２６）は、車両搭載型輸送路（３８）によって車両搭載型容器（３６）に接続可能であるドッキングステーション（４８）に連結されている、請求項８及び１３に記載の固体廃棄物を運搬するシステム。
【請求項１６】
前記少なくとも１つの保持領域（１０）は、建物及び屋外ステーションの内部に位置している、請求項８に記載の固体廃棄物を空気圧式運搬するシステム。
【請求項１７】
前記廃棄物輸送路（１４）と少なくとも１つの１次運搬ゾーン（４２）とは、０．０７５ｍ〜１．０ｍの範囲の経路径サイズを備える、請求項８及び１１に記載の固体廃棄物を空気圧式運搬するシステム。
【請求項１８】
前記少なくとも１つの保持領域（１０）は、洗浄水クローゼット（４０）に接続されている、請求項８に記載の空気圧式運搬するシステム。
【請求項１９】
少なくとも１つの移動手段（２２）が前記固体廃棄物（２０）を前記廃棄物輸送路（１４）の中へ移動させるため使用される前に、前記少なくとも１つの保持領域（１０）で回転カルーセル（４４）に少なくとも１種類の固体廃棄物（２０）を保持する少なくとも２つの容器（４６）を含む、請求項８に記載の固体廃棄物を運搬するシステム。
【請求項２０】
前記少なくとも１つの移動手段（２２）は、前記少なくとも１つの移動手段の位置を特定し、前記少なくとも１つの移動手段の移動の方向を制御するために機器を収容する、請求項８に記載の固体廃棄物を運搬するシステム。
【請求項２１】
少なくとも２種類の固体廃棄物（２０ａ、２０ｂ）が少なくとも２つの保持領域（１０）の中に収集され、前記少なくとも２つの保持領域から少なくとも２つの収集ステーション（２８ａ、２８ｂ）又は少なくとも２つの収集路に固体廃棄物（２０ａ、２０ｂ）を運搬する方法であって、
ｉ）前記保持領域（１０）から少なくとも１つの移動手段（２２）を内部に備える廃棄物輸送路（１４）へ排出されるように、少なくとも２種類の固体廃棄物（２０ａ、２０ｂ）のうちの一方を前記少なくとも２つの保持領域（１０）へ排出するステップと、
ｉｉ）前記少なくとも２種類の固体廃棄物（２０ａ、２０ｂ）のうちの前記一方を前記少なくとも２つの収集ステーション（２８ａ、２８ｂ）又は前記少なくとも２つの収集路へ向かって押すために、前記少なくとも１つの移動手段（２２）の移動を生じさせるように前記少なくとも１つの移動手段（２２）の両端に差圧を発生させるステップと、
ｉｉｉ）前記移動手段の開始位置へ向かう前記少なくとも１つの移動手段の移動を生じさせるために前記少なくとも１つの移動手段（２２）の両端に逆向き差圧を発生させるステップと、
を含む、固体廃棄物を運搬する方法。
【請求項２２】
複数の廃棄物輸送路（１４）を含み、ステップ（ｉ）、（ｉｉ）及び（ｉｉｉ）は、各廃棄物輸送度（１４）で同時に行うことができる、請求項２１に記載の固体廃棄物を運搬する方法。
【請求項２３】
前記少なくとも２種類の固体廃棄物（２０ａ、２０ｂ）のうちの一方は、前記少なくとも１つの収集ステーション（２８ａ、２８ｂ）又は前記少なくとも１つの収集路（２６）へ運搬される前に、少なくとも１つの１次運搬ゾーン（４２）への前記複数の廃棄物輸送路（１４）の１つずつに排出され、前記複数の廃棄物輸送路の１つずつの中で運搬される、請求項２１及び２２に記載の固体廃棄物を運搬する方法。
【請求項２４】
前記廃棄物輸送路（１４）及び前記少なくとも１つの１次運搬ゾーン（４２）への前記少なくとも２種類の固体廃棄物（２０、２０ｂ）のうちの一方の排出は、制御及びセンサシステムによって制御され監視される、請求項２１及び２３に記載の固体廃棄物を運搬する方法。
【請求項２５】
前記少なくとも１つの収集路からの前記固体廃棄物（２０）は、車両搭載型容器（３６）から前記少なくとも１つの収集路（２６）に接続されているドッキングステーション（４８）まで車両搭載型輸送路（３８）を導入することにより収集される、請求項２１に記載の固体廃棄物を運搬する方法。
【請求項２６】
廃棄物輸送路（１４ａ）に接続されている廃棄物発生装置（５２）の少なくとも１点から少なくとも１つの収集ステーション（２８）又は少なくとも１つの収集路へ固体廃棄物を運搬するシステムであって、
前記廃棄物輸送路（１４ａ）の内部に設置され、前記廃棄物発生装置（５２）の各点から排出された前記固体廃棄物（２０）を前記少なくとも１つの収集ステーション（２８）へ移動させる少なくとも１つの移動手段（２２）を備え、
前記廃棄物発生装置（５２）の少なくとも１点は、前記廃棄物輸送路（１４ａ）への前記固体廃棄物の排出を調節する少なくとも１つの手段（６０）を含むことを特徴とする、固体廃棄物を運搬するシステム。
【請求項２７】
前記廃棄物発生装置（５２）の複数の点が前記廃棄物輸送路（１４ａ）と垂直方向に配置されている、請求項２６に記載の固体廃棄物を運搬するシステム。
【請求項２８】
前記廃棄物輸送路（１４ａ）は、少なくとも１つの１次運搬ゾーン（５４）への前記固体廃棄物（６２）の排出を調節する少なくとも１つの手段を含む、請求項２６に記載の固体廃棄物を運搬するシステム。
【請求項２９】
前記少なくとも１つの１次運搬ゾーン（５４）は、前記固体廃棄物（２０）を前記少なくとも１つの収集ステーション（２８）又は前記少なくとも１つの収集路へ移動させるために少なくとも１つの移動手段（２２）を備える、請求項２６に記載の固体廃棄物を運搬するシステム。
【請求項３０】
前記廃棄物輸送路（１４ａ）は、少なくとも１つの廃棄物輸送路（１４）に取り付けられている、請求項２６に記載の固体廃棄物を運搬するシステム。
【請求項３１】
前記少なくとも１つの移動手段（２２）は、前記少なくとも１つの移動手段の位置を特定し、前記少なくとも１つの移動手段の移動の方向を制御するために機器を収容する、請求項２６に記載の固体廃棄物を運搬するシステム。
【発明の詳細な説明】
【技術分野】
【０００１】
本発明は、少なくとも１つの保持領域から少なくとも１つの廃棄物収集ステーションへ固体廃棄物を運搬する方法及びシステムに関する。
【背景技術】
【０００２】
既存の空気流固体廃棄物収集システム（PSWCS）は、地表及び地下のパイプ及び空気バルブのネットワークを通じて、室内の重力シュート又は室外の投棄ステーションから送られた固体廃棄物を、複数の中間保持領域（IHA）から、廃棄物収集ステーション（RCS）と呼ばれる中心的な収集地点まで、空気の流れを利用して運搬するシステムである。一時的に塊の状態となった固体廃棄物は、空気流により分解されて、該固体廃棄物は希薄な又は分散した相となって移動し、該固体廃棄物はより微細な分散部となって移動することが可能となる。
【０００３】
RCS自体は、廃棄物セパレータ、コンパクタ、コンテナ、バキューム装置、コンプレッサ空動システム、濾過システム、脱臭システム、バルブ、パイプ、コントロールシステム及び電力供給パネルの主要な構成要素を結びつけた、一式完備した施設である。
【０００４】
いくつかの一式完備したRCSが、大規模に開発されている。当該システムの制約は、最も遠いIHAとRCS の間、すなわち約２.5キロメートルにわたる固体廃棄物の最大運搬距離である。それを超えると、当該システムは、エネルギー効率の点で、非常に非効率となる。
【０００５】
上記PSWCSのコンセプトは、ほとんどの建造物所有者や同管理者等によって、快く受け入れられている一方、高額な投資コスト、開発の範囲内におけるスペースの不足、及び専門技術者でしか対処しえない当該施設内の特殊設備の管理といった最大の障害が依然として残っている。
【０００６】
スペース及び準備資金出資を最小化するために選択される既存の方法としては、１又はそれ以上のドッキングステーションで終点となる固定された固体廃棄物収集路に接続した収集シュートの基部に設けた多数の一時的保管コンパートメントを利用する方法がある。移動式バキュームトラックが周期的にホースを当該ドッキングステーションにつなぎ、一時的保管コンパートメントから固体廃棄物を吸引する。この方法は、常置プラント室が存在せず、資本出資は低額である一方、バキュームトラック作業を頻繁に行う必要があるため、資本出資が高額となり、また、集積モード中は大きな騒音が起こり、さらにバキュームトラックが大きな資本出資となることから、サービス業者が非常に限定される。さらなる問題点として、バキューム室がバキュームトラックに積載されており、そのためバキュームトラックの重量が非常に増大している。さらには、バキュームトラックの死荷重は、燃料消費の点で非常に無駄であり、また、管理費が非常に高くなる。
簡潔に述べるならば、本方法は、開発者に対する資本出資は削減されるが、他方、ライフサイクルコストは嵩み、限られた業者に依存することになる。
【０００７】
従来設計されたPSWCSでは、通常、400ミリメートルから500ミリメートルの長さの直径をもつパイプが使用されている。非常に長い固体廃棄物の運搬距離が要求される例外的なケースでは、パイプの直径は600ミリメートルまで達する。
従来設計の一般的な原則は、PSWCS全体において、廃棄物輸送路の直径サイズを１つにすることである。固体廃棄物の運搬に際し、直径600ミリメートルのパイプを使用することの問題点は、廃棄物を運搬する際に必要とされるパイプ内における最小限の空気速度を維持するためのバキューム装置によって、膨大な量の空気の移動を生じさせるために、大気圧未満の圧力（sub-atmospheric pressure）を発生させる必要があることである。つまり、このことは、非常に高価でハイパワーのバキューム装置を使用して大気圧未満の圧力を発生させ、空気の移動を生じさせることであり、PSWCSの高額な運用費をもたらすことになる。
【０００８】
極端に高額の初期投資費用をもたらす従来の設計物のもう１つの欠点は、運搬サイクル間におけるシステムのアイドリングである。小規模なバキューム装置の操作時間は、典型例によれば、１日当たり90分を超えることはない。
【０００９】
非常に長い距離にわたって多くの量の固体廃棄物を高速度で運搬する、従来設計されたシステムのもう１つの問題点は、パイプの摩耗である。この摩耗のため、しばしば鋼管が選択されている。しかしながら、この材料の欠点は、腐食することである。固体廃棄物は、しばしば湿気を帯びており、金属を腐食する滲出液（leachate）と呼ばれる酸性度の高い液体を生じるからである。パイプの内面及び外面の両方に対する腐食は、電極防食法によって減少させることができるが、該方法は、高額な費用がかかり、かつ、定期的な検査と管理を必要とする。一般的には、システム中のパイプが長くなればなるほど、カバーするエリアが広くなり、積載される固体廃棄物が多くなればなるほど、摩耗が多くなり、パイプの厚みを大きくするほど、資金コストがより増大する。
【００１０】
従来のPSWCSに係る問題は、１個ないし２個の建造物に限定したより小規模の開発においては、当該システムへの投資を避ける傾向があるということである。その理由は、大きな初期投資コスト及び上記RCSに必要とされる広いスペースが要求されるからである。
【００１１】
本発明の目的は、かかる問題に対処し、計画中、建設中又は既に存在しているが改善中の大規模な開発及び地域に対して有益なシステムを浸透させることである。
【発明の概要】
【発明が解決しようとする課題】
【００１２】
本発明は、少なくとも１つの保持領域から少なくとも１つの収集路又は少なくとも１つの収集ステーションへ固体廃棄物を運搬する方法であって、固体廃棄物を各保持領域から廃棄物輸送路へ排出するステップを含み、さらに、移動手段を使用し、また、前記移動手段の原点位置に戻されるように前記移動手段を制御することにより、廃棄物輸送路の中の前記固体廃棄物を前記少なくとも１つの収集路又は前記少なくとも１つの収集ステーションへ押し進めるステップを含む方法に関する。
【００１３】
本発明は、また、少なくとも１つの保持領域が廃棄物輸送路に接続され、少なくとも１つの保持領域から少なくとも１つの収集ステーション又は少なくとも１つの収集路へ固体廃棄物を空気圧式運搬するシステムであって、前記廃棄物輸送路の内部に設置され、各保持領域から排出された前記固体廃棄物を前記少なくとも１つの収集ステーション又は前記少なくとも１つの収集路へ移動させる少なくとも１つの移動手段を備えるシステムに関する。
【００１４】
さらに加えて、本発明は、少なくとも２種類の固体廃棄物が少なくとも２つの保持領域の中に収集され、前記少なくとも２つの保持領域から少なくとも２つの収集ステーション又は少なくとも２つの収集路に固体廃棄物を空気圧式運搬する方法であって、
前記保持領域から少なくとも１つの移動手段を内部に備える廃棄物輸送路へ排出されるように、少なくとも２種類の固体廃棄物のうちの一方を前記少なくとも２つの保持領域へ排出するステップと、
前記固体廃棄物を前記少なくとも２つの収集ステーション又は前記少なくとも２つの収集路へ向かって押すために、前記少なくとも１つの移動手段の移動を生じさせるように前記少なくとも１つの移動手段の両端に差圧を発生させるステップと、
前記移動手段の開始位置へ向かう前記少なくとも１つの移動手段の移動を生じさせるために、前記少なくとも１つの移動手段の両端に差圧を発生させるステップと、を含む方法に関する。
【００１５】
本発明は、さらに、廃棄物輸送路に接続されている廃棄物発生装置の少なくとも１点から少なくとも１つの収集ステーション又は少なくとも１つの収集路へ固体廃棄物を空気圧式運搬するシステムであって、
前記廃棄物輸送路の内部に設置され、前記廃棄物発生装置の各点から排出された前記固体廃棄物を前記少なくとも１つの収集ステーション（２８）へ移動させる少なくとも１つの移動手段を備えたシステムに関する。
本発明は、以下の詳細な説明及び添付された図面によって、より完全に理解される。ただし、本発明はそれらに限定されるものではない。
【図面の簡単な説明】
【００１６】
【図１−１】図１−１は、少なくとも１つの移動手段を使用して、１つの保持領域から収集ステーションへ固体廃棄物を輸送するシステムの略図を示す。
【図１−２】図１−２は、少なくとも１つの移動手段を使用して、１つの保持領域から収集ステーションへ固体廃棄物を輸送するシステムの略図を示す。
【図１−３】図１−３は、少なくとも１つの移動手段を使用して、１つの保持領域から収集ステーションへ固体廃棄物を輸送するシステムの略図を示す。
【図１−４】図１−４は、少なくとも１つの移動手段を使用して、１つの保持領域から収集ステーションへ固体廃棄物を輸送するシステムの略図を示す。
【図１−５】図１−５は、少なくとも１つの移動手段を使用して、１つの保持領域から収集ステーションへ固体廃棄物を輸送するシステムの略図を示す。
【図１−６】図１−６は、少なくとも１つの移動手段を使用して、１つの保持領域から収集ステーションへ固体廃棄物を輸送するシステムの略図を示す。
【図２−１】図２−１は、少なくとも１つの移動手段を使用して、高層建物で構成された少なくとも１つの屋内ステーションと少なくとも１つの屋外ステーションとの組み合わせから収集ステーションへ固体廃棄物を輸送するシステムの略図を示す。
【図２−２】図２−２は、少なくとも１つの移動手段を使用して、高層建物で構成された少なくとも１つの屋内ステーションと少なくとも１つの屋外ステーションとの組み合わせから収集ステーションへ固体廃棄物を輸送するシステムの略図を示す。
【図２−３】図２−３は、少なくとも１つの移動手段を使用して、高層建物で構成された少なくとも１つの屋内ステーションと少なくとも１つの屋外ステーションとの組み合わせから収集ステーションへ固体廃棄物を輸送するシステムの略図を示す。
【図２−４】図２−４は、少なくとも１つの移動手段を使用して、高層建物で構成された少なくとも１つの屋内ステーションと少なくとも１つの屋外ステーションとの組み合わせから収集ステーションへ固体廃棄物を輸送するシステムの略図を示す。
【図３−１】図３−１は、保持領域から車両搭載型容器へ固体廃棄物を輸送する固定部と、固体廃棄物を輸送する移動部との略図を示す。
【図３−２】図３−２は、保持領域から車両搭載型容器へ固体廃棄物を輸送する固定部と、固体廃棄物を輸送する移動部との略図を示す。
【図３−３】図３−３は、保持領域から車両搭載型容器へ固体廃棄物を輸送する固定部と、固体廃棄物を輸送する移動部との略図を示す。
【図３−４】図３−４は、保持領域から車両搭載型容器へ固体廃棄物を輸送する固定部と、固体廃棄物を輸送する移動部との略図を示す。
【図３−５】図３−５は、保持領域から車両搭載型容器へ固体廃棄物を輸送する固定部と、固体廃棄物を輸送する移動部との略図を示す。
【図４】図４は、固体廃棄物収集用の少なくとも１つの保持領域のためのネットワークの概略図を示す。
【図５】図５は、固体廃棄物発生装置の点まで拡張されたネットワークの概略図を示す。
【図６】図６は、廃棄物輸送路と垂直に配置されている固体廃棄物発生装置の点まで拡張されたネットワークの概略図を示す。
【図７】図７は、少なくとも１つの保持領域又は固体廃棄物発生装置の点に接続された洗浄水クローゼットの概略図を示す。
【図８】図８は、保持領域からの少なくとも２種類の分離された固体廃棄物がそれぞれの移動手段を用いてそれぞれの廃棄物輸送路に沿って同時に移動させることができるシステムの概略図を示す。
【図９】図９は、固体廃棄物が分離され、収集ステーションまで廃棄物輸送路の中を別々に運搬されることを可能にする少なくとも１つの移動手段の下に配置された数個の室を備える回転カルーセルの略図を示す。
【図１０】図１０は、固体廃棄物が分離され、収集ステーションまで廃棄物輸送路の中を別々に運搬されることを可能にする少なくとも１つの移動手段の上に配置された数個の室を備える回転カルーセルの略図を示す。
【発明を実施するための形態】
【００１７】
本発明は、固体廃棄物（２０）を収集路へ押すための少なくとも１つの移動手段（２２）を使用して、少なくとも１つの保持領域（１０）から少なくとも１つの収集路（２６）又は少なくとも１つの収集ステーション（２８）へ固体廃棄物を運搬する方法及びシステムに関するものである。本発明は、また、自動廃棄物シャトル運搬システム（AWSTS）という名称でも知られている。上記少なくとも１カ所の保持領域は、公園やレクレーションエリアのような地域にある建造物の外部に設置される屋外ステーションだけでなく、建造物内部に設置される屋内ステーションの中からも選択される。上記固体廃棄物については、リサイクル可能、不可能を問わず選択される。
【００１８】
本発明における２種類の実施形態は、図１−１（ｅ）、図２−２（ｃ）に示されている。上記AWSTAの方法には、各保持領域（１０）から廃棄物輸送路（１４）へ固体廃棄物（２０）を定期的かつ体系的に排出させるステップが含まれている。各保持領域には、前記固体廃棄物（２０）の排出を調節する少なくとも１つの手段（１２）が含まれている。前記固体廃棄物の排出を調節する少なくとも１つの手段は、例えば、排出バルブである。廃棄物輸送路（１４）には、固体廃棄物（２０）を少なくとも１つの収集路（２６）又は少なくとも１つの収集ステーション（２８）へ押し進めるための少なくとも１つの移動手段（２２）が含まれる。
前記少なくとも１つの移動手段が前記廃棄物輸送路（１４）の中に前記固体廃棄物（２０）を押す前に、潤滑剤として作用するように液体を前記固体廃棄物（２０）とこの固体廃棄物の周囲に噴霧してもよい。当該液体は、水、油等の潤滑剤の中から選択される。固体廃棄物（２０）の排出は、廃棄物輸送路（１４）の中に前記固体廃棄物（２０）を排出が可能となるように、各保持領域（１０）と廃棄物輸送路（１４）の間に差圧を作り出すことによって開始される。少なくとも１つの保持領域（１０）と廃棄物輸送路（１４）の間に差圧を作り出すことは当業者に公知である。種々の手段により差圧を作り出すことができるが、常に少なくとも１つの保持領域（１０）内を高い空気圧とし、廃棄物輸送路（１４）内を低い空気圧とすることにより差圧を作り出す。
【００１９】
少なくとも１つの保持領域（１０）と廃棄物輸送路（１４）の間に差圧を作り出すために、前記少なくとも１つの保持領域に空気の供給及び／又は前記廃棄物輸送路から空気を除去、する必要がある。差圧は以下の方法で作り出すことができる。
ａ）少なくとも１つの高い圧力の空気路（３２）を陽圧（大気圧に比べて）とし、
少なくとも１つの低い圧力の空気路（３４）を大気圧又は大気圧より低い圧力とする、
ｂ）少なくとも１つの高い圧力の空気路（３２）を大気圧とし、少なくとも１つの低い圧力の空気路（３４）を大気圧より低い圧力とする。
【００２０】
少なくとも１つの高い圧力の空気路（３２）及び少なくとも１つの低い圧力の空気路（３４）は、１つの端部で、空気ハンドリング装置（図示せず）と接続されており、少なくとも１つの高い圧力の空気路（３２）及び少なくとも１つの低い圧力の空気路（３４）の他端は、少なくとも１つの空気バルブ（３０）に連結されている。上記少なくとも１つの空気バルブ（３０）は、少なくとも１つの接続路（６８）により廃棄物輸送路（１４）に接続している。そのため、少なくとも１つの接続路（６８）は、前述した方法により、廃棄物輸送路（１４）に空気を供給し、または廃棄物輸送路（１４）から空気を除去することができ、また、少なくとも１つの保持領域（１０）と廃棄物輸送路（１４）の間に差圧を作り出すことができる。いったん、差圧が作り出されると、固体廃棄物の排出を調節する手段（１２）が通過可能となり、固体廃棄物は押され、廃棄物輸送路（１４）内に押されていく。
【００２１】
廃棄物輸送路（１４）を大気圧より低い圧力とする必要がある場合は、廃棄物輸送路（１４）内の圧力状況を切り離すため、少なくとも１つのゾーンバルブ（２４）を廃棄物輸送路(１４)内に設置する。いったん、少なくとも１つの保持領域（１０）と廃棄物輸送路（１４）の間に差圧が作り出されると、前記固体廃棄物の排出を調節する手段（１２）は通過可能となり、前記固体廃棄物は廃棄物輸送路（１４）内に押されていく。
【００２２】
少なくとも１つの上記ゾーンバルブ（２４）は、廃棄物輸送路(１４)を少なくとも１つの運搬ゾーン（１６）に分離するために用いられる。これにより、各運搬ゾーン（１６）は、運搬ゾーン（１６）内に空気の流れを発生することが可能となり、少なくとも１つの移動手段（２２）が固体廃棄物（２０）を少なくとも１つの収集路（２６）又は少なくとも１つの収集ステーション（２８）に押し進めることが促進される。少なくとも１つのゾーンバルブ（２４）は、他の運搬ゾーン（１６）に影響を及ぼすことなく、少なくとも１つの運搬ゾーン（１６）内の差圧の調節を可能にする。
【００２３】
少なくとも１つの移動手段（２２）は、少なくとも１つの移動手段（２２）の両端に差圧が発生されることにより、少なくとも１つの移動手段（２２）の移動ができるようになり、廃棄物輸送路(１４)内の固体廃棄物を押し進めるよう促進される。いかなる場合においても、少なくとも１つの移動手段（２２）の移動は、少なくとも１つの移動手段（２２）の１端又は両端の圧力状況を変えることにより、発生する。上記圧力状況を変えることは、結局、少なくとも１つの移動手段（２２）が低圧の方向に移動することになる。差圧は種々の方法で発生させることができる。移動手段（２２）の両端に差圧を生じさせるには、少なくとも１つの移動手段（２２）の１端又は両端から、廃棄物輸送路(１４)に空気の供給及び／又は廃棄物輸送路(１４)から空気の除去を行う必要がある。これは、廃棄物輸送路(１４)とは異なる圧力をもつ少なくとも１つの空気圧の高い空気路（３２）又は少なくとも１つの低い圧力の空気路（３４）に接続される少なくとも１つの空気バルブ(３０)を開くことによって行われる。差圧は以下の方法で作り出すことができる。
ａ）少なくとも１つの高い圧力の空気路（３２）を陽圧（大気圧に比べて）とし、
少なくとも１つの低い圧力の空気路（３４）を大気圧又は大気圧より低い圧力とする、
ｂ）少なくとも１つの高い圧力の空気路（３２）を大気圧とし、少なくとも１つの低い圧力の空気路（３４）を大気圧より低い圧力とする。
【００２４】
少なくとも１つの高い圧力の空気路（３２）及び少なくとも１つの低い圧力の空気路（３４）の両方は、１つの端部で、空気ハンドリング装置（図示せず）と接続されており、少なくとも１つの高い圧力の空気路（３２）及び少なくとも１つの低い圧力の空気路（３４）の他端は、少なくとも１つの空気バルブ（３０）に連結されている。上記少なくとも１つの空気バルブ（３０）は、少なくとも１つの接続路（６８）により廃棄物輸送路（１４）に接続している。そのため、少なくとも１つの接続路（６８）は、廃棄物輸送路（１４）に空気を供給し、又は廃棄物輸送路（１４）から空気を除去することができ、また、少なくとも１つの移動手段（２２）が固体廃棄物を押し進めるために、少なくとも１つの移動手段（２２）の移動を生じさせるため、少なくとも１つの移動手段（２２）の両端に差圧を作り出すことができる。
【００２５】
少なくとも１つの収集ステーションにおける少なくとも１つのゾーンバルブ（２４）は開くことにより、少なくとも１つの移動手段（２２）が固体廃棄物（２０）を少なくとも１つの収集ステーション（２８）又は少なくとも１つの収集路（２６）内に押すことを可能にする。固体廃棄物（２０）は、少なくとも１つの移動手段（２２）により、収集ステーション（２８）内の容器又はホッパーに押し進められる。固体廃棄物（２０）が少なくとも１つの前記収集ステーションに到達する前に、固体廃棄物（２０）は、廃棄物輸送路（１４）に排出される前に固体廃棄物自体又はその周囲に噴霧された潤滑剤を除去し圧縮するためのプレス手段で圧縮される。
【００２６】
固体廃棄物（２０）が少なくとも１つの収集ステーション（２８）へ運ばれた後、少なくとも１つのゾーンバルブ（２４）は閉ざされ、少なくとも１つの移動手段（２２）がその開始位置に戻ることができるよう、少なくとも１つの移動手段（２２）の両端の差圧は逆にされる。いずれにしても、少なくとも１つの移動手段（２２）の移動は、少なくとも１つの移動手段（２２）の１つの側又は両側の圧力状態を変えることによって発生される。圧力状態を変えることで、少なくとも１つの移動手段（２２）は、低圧の方向に移動することになる。
【００２７】
少なくとも１つの収集路（２６）に固体廃棄物が輸送された場合、図３−３（ｄ）に示すように、固体廃棄物は、少なくとも１つの収集路（２６）から車両搭載型固体廃棄物容器（３６）へ移動される。収集路（２６）の固体廃棄物（２０）は、車両搭載型固体廃棄物容器（３６）に輸送される前に、ドッキングステーション（４８）に移動する。車両搭載型固体廃棄物容器（３６）は、少なくとも１つの車両搭載型輸送路（３８）により、ドッキングステーション（４８）と連結させることができる。車両搭載型輸送路（３８）は、車両搭載型容器（３６）の上に配置されている。また、車両搭載型輸送路（３８）は、ドッキングステーション（４８）と車両搭載型容器（３６）を接続している。固体廃棄物（２０）を少なくとも１つの収集路（２６）に押し進める少なくとも１つの移動手段（２２）は、さらに該固体廃棄物を、ドッキングステーション（４８）と少なくとも１つの車両搭載型輸送路（３８）を通って車両搭載型容器（３６）に押し進める。少なくとも１つのドッキングステーション（４８）は、少なくとも１つの収集路（２６）から少なくとも１つの車両搭載型輸送路（３８）までの間の固体廃棄物（２０）の移動と圧力の状況を調節するための少なくとも１つのゾーンバルブを有する。代わりに、少なくとも１つの収集路（２６）内で固体廃棄物（２０）を圧縮して塊とし、次いで、少なくとも１つの収集路（２６）と車両搭載型固体廃棄物容器（３６）の間に差圧を発生させて固体廃棄物を移動することもできる。少なくとも１つの移動手段（２２）が、固体廃棄物の車両搭載型容器（３６）への移動に使用される場合、少なくとも１つの車両搭載型輸送路（３８）がドッキングステーション（４８）から切り離される前に、少なくとも１つの移動手段（２２）は、収集路（２６）に戻される。少なくとも１つの移動手段（２２）の両端に逆の差圧を発生させることにより、少なくとも１つの移動手段（２２）がその開始位置に移動することが可能となり、少なくとも１つの移動手段（２２）は、少なくとも１つの収集路（２６）に戻される。いずれにしても、少なくとも１つの移動手段の移動は、少なくとも１つの移動手段（２２）の１つの側又は両側の圧力状態を変えることによって発生される。圧力状態を変えることで、少なくとも１つの移動手段（２２）は、低圧の方向に移動することになる。
【００２８】
本発明は、また、少なくとも１つの保持領域（１０）から少なくとも１つの収集路（２６）又は少なくとも１つの収集ステーション（２８）へ固体廃棄物を運搬する装置のシステムに関する。少なくとも１つの保持領域（１０）には、固体廃棄物（２０）の排出を制御する少なくとも１つの手段（１２）が含まれる。廃棄物輸送路（１４）には、少なくとも１つの保持領域（１０）から排出された固体廃棄物を少なくとも１つの収集路（２６）又は少なくとも１つの収集ステーション（２８）へ押し進める少なくとも１つの移動手段（２２）が含まれる。少なくとも１つの移動手段（２２）は、固体廃棄物を少なくとも１つの収集路（２６）又は少なくとも１つの収集ステーション（２８）へ押し進めるシャトルのようなものである。少なくとも１つの保持領域（１０）は建物及び屋外ステーションの内部に位置している。屋外ステーションは、公園やレクレーションエリアのようなエリアにある建物の外に存する廃棄物収集ステーションである。これに加えて、少なくとも１つの保持領域（１０）が、固体廃棄物を発生する場所、例えば、キッチン、に隣接した場所にあるときは、該保持領域には、固体廃棄物が廃棄物輸送路（１４）に排出された所から、固体廃棄物を少なくとも１つの保持領域（１０）に水で流すための洗浄水クローゼット（４０）を含めることが好ましく、また、少なくとも１つの移動手段（２２）は、固体廃棄物を少なくとも１つの収集路（２６）又は少なくとも１つの収集ステーション（２８）へ押し進める。
【００２９】
いったん、固体廃棄物（２０）が廃棄物輸送路（１４）に排出されると、少なくとも１つの移動手段（２２）を移動させて、固体廃棄物を少なくとも１つの収集路（２６）又は少なくとも１つの収集ステーション（２８）に押し進めるために、が発生される。固体廃棄物（２０）を少なくとも１つの収集路（２６）又は少なくとも１つの収集ステーション（２８）に移動させた後、少なくとも１つの移動手段（２２）の両端に差圧が発生し、当該差圧は、少なくとも１つの移動手段（２２）がその開始位置に戻る運動が可能となるように逆の差圧となる。いずれにしても、少なくとも１つの移動手段（２２）の移動は、少なくとも１つの移動手段（２２）の１つの側又は両側の圧力状態を変えることによって発生される。圧力状態を変えることで、少なくとも１つの移動手段（２２）は、低圧の方向に移動することになる。差圧は以下の方法で作り出すことができる。
ａ）少なくとも１つの高い圧力の空気路（３２）を陽圧（大気圧に比べて）とし、
少なくとも１つの低い圧力の空気路（３４）を大気圧又は大気圧より低い圧力とする、
ｂ）少なくとも１つの高い圧力の空気路（３２）を大気圧とし、少なくとも１つの低い圧力の空気路（３４）を大気圧より低い圧力とする。
【００３０】
少なくとも１つの移動手段（２２）の１つの側又は両側の圧力状態を変える空気の移動は、円滑な操業と少なくとも１つの移動手段（２２）のコントロールを確保するため、コントロール及びモニタリングシステム（５０）によって管理される。少なくとも１つの移動手段（２２）の位置は、当業者に知られている電波による個体識別（RFID）のタグやマグネットなどの装置を用いて特定される。当該装置は少なくとも１つの移動手段（２２）の内部に収容され、電気的なコントロール及びモニタリングシステム（５０）に接続したセンサーによってモニターされる。
【００３１】
少なくとも１つの高い圧力の空気路（３２）及び少なくとも１つの低い圧力の空気路（３４）の両方は、１つの端部で、空気ハンドリング装置（図示せず）と接続されており、少なくとも１つの高い圧力の空気路（３２）及び少なくとも１つの低い圧力の空気路（３４）の他端は、少なくとも１つの空気バルブ（３０）に連結されている。上記少なくとも１つの空気バルブ（３０）は、少なくとも１つの接続路（６８）により廃棄物輸送路（１４）に接続している。そのため、少なくとも１つの接続路（６８）は、廃棄物輸送路（１４）に空気を供給し、又は廃棄物輸送路（１４）から空気を除去することができ、また、少なくとも１つの移動手段（２２）が固体廃棄物を押し進めるために、少なくとも１つの移動手段（２２）の移動を生じさせるため、少なくとも１つの移動手段（２２）の両端に差圧を作り出すことができる。上記システムはコントロール及びモニタリングシステム（５０）により管理される。
【００３２】
もう１つの態様においては、上記システムには、前記廃棄物輸送路（１４）の中に少なくとも１つのゾーンバルブ（２４）を設け、当該バルブを閉じたとき、少なくとも１つのゾーンバルブの両端に差圧が生じるようにする。通常、少なくとも１つの保持領域（１０）から廃棄物の排出、または、廃棄物輸送路（１４）内の少なくとも１つの移動手段（２２）によって固体廃棄物（２０）の移動を可能とするため、廃棄物輸送路（１４）内に大気圧以下の圧力を生じさせる必要があるときは、少なくとも１つのゾーンバルブ（２４）が必要である。少なくとも１つのゾーンバルブ（２４）には、廃棄物輸送路（１４）内に少なくとも１つの運搬ゾーン（１６）が供される。少なくとも１つのゾーンバルブ（２４）は、他の運搬ゾーン（１６）に影響を及ぼすことなく、少なくとも１つの運搬ゾーン（１６）内の差圧を制御することを可能にする。
【００３３】
第１０ページ、２０−３１行、及び第１１ページ、１−３行に述べた複数のシステムは、固体廃棄物を少なくとも１つの収集ステーション（２８）又は少なくとも１つの収集路（２６）へ運搬される前に、少なくとも１つの１次運搬ゾーン（４２）に移動される。少なくとも１つの１次運搬ゾーン（４２）には、固体廃棄物を少なくとも１つの収集ステーション（２８）又は少なくとも１つの収集路（２６）へ移動させるための少なくとも１つの移動手段（２２）が含まれる。廃棄物輸送路（１４）及び少なくとも１つの１次運搬ゾーンは、０．０７５ｍ〜１．０ｍの範囲の経路径サイズを備える。少なくとも１つの収集路（２６）は、少なくとも１つの格納可能路（３８）により、車両搭載型容器（３６）に接続可能である。少なくとも１つの収集路（２６）の固体廃棄物は、少なくとも１つの移動手段（２２）によってドッキングステーション（４８）に押し進められる。ドッキングステーション（４８）は、少なくとも１つの格納可能路（３８）を通じて固体廃棄物の車両搭載型容器（３６）への移動を管理する少なくとも１つのゾーンバルブ（２４）を含む。
【００３４】
図４は、第１０ページ、２０−３１行、及び第１１ページ、１−３行に述べた、廃棄物輸送路（１４）を通って固体廃棄物（２０）を押し進めるための少なくとも１つの移動手段（２２）を使用して、固体廃棄物（２０）を少なくとも１つの保持領域（１０）から少なくとも１つの収集ステーション（２８）に運搬するための複数のシステムの概略図を示す。上記廃棄物輸送路には少なくとも１つのゾーンバルブ（２４）を含む。少なくとも１つのゾーンバルブ（２４）には、廃棄物輸送路（１４）内に少なくとも１つの運搬ゾーン（１６）が供される。固体廃棄物を少なくとも１つの収集ステーション（２８）に移動させる前に、固体廃棄物（２０）を圧縮して、固体廃棄物（２０）から過剰な液体を除去する固体廃棄物圧縮チャンバ（７０）が設けられている。固体廃棄物（２０）を少なくとも１つの保持領域（１０）から少なくとも１つの収集ステーション（２８）に運搬する方法は前述した図１−１（ｅ）、図２−２（ｃ）に示されている。
【００３５】
図５は、固体廃棄物を廃棄物発生装置（５２）の少なくとも１点から少なくとも１つの収集ステーション（２８）へ、少なくとも１つの移動手段（２２）を使用して運搬するための少なくとも１つの廃棄物発生装置（５２）の１つの概略図を示す。廃棄物発生装置（５２）の少なくとも１点から廃棄物輸送路（１４）に固体廃棄物を運搬する方法は、図１−１（ｅ）、図２−２（ｃ）に述べた態様に類似している。廃棄物輸送路（１４）の固体廃棄物は、少なくとも１つの収集ステーション（２８）で収集される前に、少なくとも１つの１次運搬ゾーン（４２）に移動される。廃棄物輸送路（１４）及び少なくとも１つの１次運搬ゾーン（４２）には、少なくとも１つの運搬ゾーン（１６）の圧力の状態及び固体廃棄物（２０）の廃棄物輸送路（１４）の移動を調節し、また、少なくとも１つの１次運搬ゾーン（４２）の圧力の状態及び少なくとも１つの１次運搬ゾーン（４２）の固体廃棄物（２０）の少なくとも１つの収集ステーション（２８）への移動を調節するための少なくとも１つのゾーンバルブ（２４）が含まれる。廃棄物輸送路（１４）及び少なくとも１つの１次運搬ゾーン（４２）には、固体廃棄物（２０）を少なくとも１つの収集ステーション（２８）に押し進めるための少なくとも１つの移動手段（２２）が含まれる。この態様においては、廃棄物輸送路（１４）と少なくとも１つの１次運搬ゾーン（４２）のサイズは、廃棄物輸送路（１４）と少なくとも１つの１次運搬ゾーン（４２）で処理する固体廃棄物（２０）の量を増加させるため、固体廃棄物の移動方向に対して下流側が大きくなっている。少なくとも１つの移動手段（２２）についても、個々の廃棄物輸送路（１４）内で効率的に作動できるようにサイズが決定される。
【００３６】
図６は、少なくとも１つの廃棄物発生装置（５２）から少なくとも１つの収集ステーション（２８）に少なくとも１つの移動手段（２２）を使用して固体廃棄物（２０）を運搬するための廃棄物輸送路（１４ａ）に垂直方向に配置された廃棄物発生装置（５２）、例えばキッチンの少なくとも１点の概略図を示す。廃棄物発生装置（５２）の少なくとも１点から廃棄物輸送路（１４ａ）に固体廃棄物（２０）を運搬する方法は、図１−１（ｅ）、図２−２（ｃ）に述べた態様に類似している。廃棄物輸送路（１４ａ）の固体廃棄物（２０）は、少なくとも１つの収集ステーション（２８）で収集される前に、少なくとも１つの１次運搬ゾーン（５４）に移動される。廃棄物発生装置（５２）の少なくとも１点は、垂直方向に廃棄物輸送路（１４ａ）に配置される。廃棄物発生装置（５２）の少なくとも１点には、廃棄物輸送路（１４ａ）への固体廃棄物（２０）の排出を調節する少なくとも１つの手段（６０）が含まれる。廃棄物輸送路（１４ａ）の固体廃棄物（２０）は、廃棄物輸送路（１４ａ）内の少なくとも１つの移動手段（２２）によって押し進められる。廃棄物輸送路（１４ａ）には、廃棄物輸送路（１４ａ）から少なくとも１つの１次運搬ゾーン（５４）への固体廃棄物（２０）の排出を調節する少なくとも１つの手段（６２）が含まれる。当該廃棄物輸送路には、廃棄物輸送路（１４ａ）内の差圧を調節するための少なくとも１つのゾーンバルブ（２４）が含まれる。上記（１４ａ）で述べた廃棄物輸送路は、第１０ページ、１８−３０行、及び第１１ページに記載したシステムで述べた複数の廃棄物輸送路（１４）と接続することができる。廃棄物輸送路（１４）の固体廃棄物は、少なくとも１つの収集ステーション（２８）に運搬される前に、廃棄物輸送路（１４ａ）に移動する。この態様は複数の廃棄物輸送路（１４）を含む大きな固体廃棄物運搬システムに対して適用できる。
【００３７】
図７は、少なくとも１つの保持領域（１０）又は廃棄物発生装置（５２）、例えばキッチンの１点の概略図を示す。少なくとも１つの保持領域（１０）の隣に洗浄水クローゼット（４０）が接続されている。当該洗浄水クローゼットは、固体廃棄物（２０）が廃棄物輸送路（１４）を通って少なくとも１つの収集ステーション（２８）又は少なくとも１つの収集路（２６）に運搬される前に、当該固体廃棄物を水で流す。固体廃棄物（２０）を少なくとも１つの保持領域（１０）から少なくとも１つの収集ステーション（２８）又は少なくとも１つの収集路（２６）に運搬する残りの部分については上述したとおりである。
【００３８】
図８は、少なくとも１つの保持領域（１０）からの少なくとも２種類の分離された固体廃棄物（２０ａ、２０ｂ）が同時に各廃棄物輸送路（１４）に沿って移動することができる、固体廃棄物を運搬する概略図を示す。各廃棄物輸送路（１４）は、固体廃棄物の排出を調整する手段（１２）を少なくとも１つ備える。これは廃棄物輸送路（１４）に排出する必要がある固体廃棄物（２０ａ、２０ｂ）の種類を調整する。各廃棄物輸送路（１４）には、少なくとも１つの保持領域（１０）から排出された固体廃棄物（２０ａ、２０ｂ）を押し進める少なくとも１つの移動手段（２２）が含まれる。各廃棄物輸送路（１４）には、また、少なくとも１つのゾーンバルブ（２４）が含まれる。ゾーンバルブ（２４）は、当該廃棄物輸送路を少なくとも１つの運搬ゾーン（１６）に分ける。少なくとも１つのゾーンバルブは、各運搬ゾーン（１６）の圧力の状態を調整する。当該廃棄物輸送路の固体廃棄物（２０ａ、２０ｂ）は、少なくとも１つの１次運搬ゾーン（４２）に排出される。１次運搬ゾーン（４２）では、固体廃棄物（２０ａ、２０ｂ）を少なくとも１つの収集ステーション（２８）に押し進める少なくとも１つの移動手段（２２）が含まれる。少なくとも１つの収集ステーション（２８ａ、２８ｂ）は、また、少なくとも１つの保持領域（１０）から排出された固体廃棄物（２０ａ、２０ｂ）の種類に分類された、分離された廃棄物容器又はホッパーを含む。
廃棄物輸送路（１４）に排出する必要がある固体廃棄物（２０ａ、２０ｂ）の種類を決定する制御及びセンサシステムが存在する。また、どの廃棄物輸送路（１４）が当該種類の固体廃棄物（２０ａ、２０ｂ）を少なくとも１つの１次運搬ゾーン（４２）及び個々の収集ステーション（２８ａ、２８ｂ）に排出すべきかを決定する制御システムが存在する。少なくとも２つの保持領域の少なくとも２種類の固体廃棄物（２０ａ、２０ｂ）のうちの１つは、廃棄物輸送路（１４）に排出される。当該廃棄物輸送路には、固体廃棄物を少なくとも１つの１次運搬ゾーン（４２）に押し進める少なくとも１つの移動手段が含まれる。固体廃棄物（２０ａ、２０ｂ）の排出及び固体廃棄物を押し進める少なくとも１つの移動手段（２２）の移動及び当該少なくとも１つの移動手段のその開始位置に戻る移動については図１−１（ｅ）、図２−２（ｃ）に述べた。同様に、少なくとも１つの１次運搬ゾーンには少なくとも１つのゾーンバルブが含まれる。
【００３９】
図９は、少なくとも２つのチャンバ（４６）を含む回転するカルーセル（carousel）（４４）の略図を示す。当該チャンバは、固体廃棄物の排出を調整する手段（１２）の上に配置される。チャンバ（４６）は、少なくとも１つの保持領域（１０）から送られた少なくとも１種類の固体廃棄物（２０ａ、２０ｂ）を分離し、少なくとも１つの収集ステーション（２８）に廃棄物輸送路（１４）を通り抜けて分離して運搬することを可能にする。本態様においては、各フロアー上の少なくとも１つの保持領域における少なくとも１種類の固体廃棄物（２０ａ、２０ｂ）のためのスイッチは、少なくとも１種類の固体廃棄物（２０ａ、２０ｂ）を処理するためのカルーセル（４４）と連結している。少なくとも１つの保持領域における少なくとも１種類の固体廃棄物（２０ａ、２０ｂ）は選択されて、カルーセル（４４）の各チャンバ（４６）に送られる。廃棄物輸送路（１４）の内部を運搬される少なくとも１種類の固体廃棄物（２０ａ、２０ｂ）が選ばれると、図１０に示すように、少なくとも１つの移動手段（２２）の上又は図９に示すように、少なくとも１つの移動手段（２２）の下にあるカルーセル（４４）は少なくとも１種類の固体廃棄物（２０ａ、２０ｂ）に向かってそれ相応に動く。その後、少なくとも１つの移動手段（２２）は、少なくとも１種類の固体廃棄物の排出を制御する少なくとも１つの手段（１２）を通って、少なくとも１種類の固体廃棄物（２０ａ、２０ｂ）を廃棄物輸送路（１４）に移動させるために使用される。廃棄物輸送路（１４）では、少なくとも１種類の固体廃棄物（２０ａ、２０ｂ）は、少なくとも１つの移動手段（２２）が後にカルーセル（４４）の上又は下にある元の位置に戻る前に、廃棄物輸送路（１４）から少なくとも１つの収集ステーション（２８）又は少なくとも１つの収集路（２６）に少なくとも１つの移動手段（２２）によって移動する。
【００４０】
本発明の利点は、固体廃棄物運搬システムに係る初期投資を削減させること、装置の電力を低減させること、種々の直径を有する廃棄物輸送路及び耐防食性路の使用を可能とさせること、プラントのスペースに係る要求性を最小限に抑えること、環境へ排出される輸送空気の質を向上させること、システム操作に必要な電力コストを削減させること、運搬モード中に装置及び輸送路の双方から放出されるノイズを削減させること、分離された物質の運搬をより効果的に取り扱えること、廃棄プロセスにおけるプラスチックバッグの使用の必要性を減少させること、流れの最長距離の制限がなく、輸送路の中を、物質を運搬させることが可能になること、容器に収集される前に廃棄物内の液体含量を削減させること、運搬ステーション、廃棄物分離プラント又は廃棄物のエネルギー変換プラント及び固体廃棄物を収集するための、格納可能路を有する可動システムが使用される所へのより簡易な直接供給を可能とし、これにより現存システムに比べて短所を減少させる一方、全体の効率を上昇させることである。
【００４１】
結論として言えば、本発明は、少なくとも１つの移動手段（２２）を使用して、少なくとも１つの保持領域（１０）から少なくとも１つの収集ステーション（２８）に固体廃棄物（２０）を運搬するための方法及びシステムに関する。固体廃棄物を押し進めるための少なくとも１つの移動手段の移動は、少なくとも１つの移動手段の両端に差圧を発生させることによって作り出される。
【符号の説明】
【００４２】
１０  保持領域
１２  固体廃棄物の排出を制御する少なくとも１つの手段
１４  廃棄物輸送路
１６  運搬ゾーン
２０  固体廃棄物
２２  移動手段
２４  ゾーンバルブ
２６  収集路
２８  収集ステーション
４２  １次運搬ゾーン
４４  カルーセル
５２  廃棄物発生装置
【図１−１】
2012512794.tif 000003
【図１−２】
2012512794.tif 000004
【図１−３】
2012512794.tif 000005
【図１−４】
2012512794.tif 000006
【図１−５】
2012512794.tif 000007
【図１−６】
2012512794.tif 000008
【図２−１】
2012512794.tif 000009
【図２−２】
2012512794.tif 000010
【図２−３】
2012512794.tif 000011
【図２−４】
2012512794.tif 000012
【図３−１】
2012512794.tif 000013
【図３−２】
2012512794.tif 000014
【図３−３】
2012512794.tif 000015
【図３−４】
2012512794.tif 000016
【図３−５】
2012512794.tif 000017
【図４】
2012512794.tif 000018
【図５】
2012512794.tif 000019
【図６】
2012512794.tif 000020
【図７】
2012512794.tif 000021
【図８】
2012512794.tif 000022
【図９】
2012512794.tif 000023
【図１０】
2012512794.tif 000024
【国際調査報告】
2012512794.tif 000025
2012512794.tif 000026